(57)【要約】【課題】  折り畳みコンテナの強度を向上させることができるとともに、折り畳みコンテナを段積みする場合のスライド性も良好な折り畳みコンテナを提供する。【解決手段】  フレーム２２の上面四隅部に２側辺に跨る突出部５０を形成し、この突出部５０と対応する底板２４の下面四隅部に突出部５０と略相補的な形状の凹部６０を形成するとともに、突出部５０は、両端部が下方に向うに従って末広がりとなるように裾部を広く形成し、この裾部に斜面またはＲからなる案内面５２を形成し、底板２４における長辺２７側の側壁部には、中央部側から端部に向って緩やかに傾斜するスロープＳを形成し、底板２４における短辺２５の略全域に、斜面またはＲからなる案内面７０を設けたことを特徴とする折り畳みコンテナ。【選択図】図５
2005186941.tif 000002
【特許請求の範囲】
【請求項１】
略矩形状の開口部（８０）を備えたフレーム（２２）と略矩形状の底板（２４）との間に配置され、ヒンジ（１５）を介して内方に折り畳み自在な上側板部（２６）と下側板部（２８）とからなる側板（３０）を備え、上端を前記フレーム（２２）に揺動自在に支承した煽り板で端部を閉塞するようにした折り畳みコンテナ（２０）において、
前記フレーム（２２）の上面四隅部に２側辺に跨る突出部（５０）を形成し、この突出部（５０）と対応する前記底板（２４）の下面四隅部に前記突出部（５０）と略相補的な形状の凹部（６０）を形成するとともに、
前記突出部（５０）は、両端部が下方に向うに従って末広がりとなるように裾部を広く形成し、この裾部に斜面またはＲからなる案内面（５２）を形成し、
さらに、前記底板（２４）における長辺（２７）側の側壁部には、中央部側から端部に向って緩やかに傾斜するスロープ（Ｓ）を形成し、
さらに、前記底板（２４）における短辺（２５）の略全域に、斜面またはＲからなる案内面（７０）を設けたことを特徴とする折り畳みコンテナ。
【請求項２】
前記スロープ（Ｓ）の端部に、斜面またはＲからなる案内面（６２）を設けたことを特徴とする請求項１に記載の折り畳みコンテナ。
【請求項３】
前記フレーム（２２）の開口部（８０）に臨む内側面上部に、斜面またはＲからなる案内面（７６）を設けたことを特徴とする請求項１または２に記載の折り畳みコンテナ。
【発明の詳細な説明】
【技術分野】
【０００１】
本発明は、折り畳みコンテナに関し、詳しくは、段積みした場合の強度を強くし、さらにはスライドスタッキング性も良好な折り畳みコンテナに関する。
【背景技術】
【０００２】
一般に、折り畳みコンテナは、図８に示したように、矩形枠状のフレーム１１と平板状の底板１３との間に、ヒンジ１５を介して内方に折り畳み自在な上側板体４と下側板体６とからなり側部を閉塞する一対の側板８と、上端を前記フレーム１１に揺動自在に支承して端部を閉塞する一対の煽り板１０を配置することによって構成されている。
【０００３】
ところで、このような通常の折り畳みコンテナでは、フレーム１１の上面は通常、平坦に形成されている。したがって、このような折り畳みコンテナを２つあるいはそれ以上，上下に重ね合わせた場合には、折り畳みコンテナの隅部で確実に荷重を受けることができなかったため、強度的に弱い折り畳みコンテナの中央部分に荷重が掛かった場合は折り畳みコンテナが変形するおそれがあった。
【０００４】
このような不具合を改善するために、折り畳みコンテナの中には、フレーム１１の上面隅部に凹部を、底板１３の下面隅部に突出部を形成し、上面の凹部に底面の突出部を嵌合させるようにしたものも提供されている（特許文献１参照）。
【０００５】
このように、フレーム１１の上面隅部に凹部を形成したものでは、逆にフレーム１１の四隅部が脆弱になってしまうという問題があった。
【０００６】
又、特許文献１のように、フレーム１１の上面隅部に凹部を、底板の下面隅部に突出部を形成したものでは、段積みさせる場合に上位の折り畳みコンテナを下位の折り畳みコンテナに対してスライドさせたときに、底板１３の下面隅部の突出部が邪魔になって、スライドの途中で上位の折り畳みコンテナが落下してしまうと問題があった。
【０００７】
また、図９および図１０に示したように、各側板２が底板１に対して折り畳み可能な折り畳みコンテナにおいて、側板２の上面四隅部に突出部８を設けたものがある（特許文献２参照）。
【特許文献１】実公平４−１５６３３号公報
【特許文献２】特開２００１−３３５０２９号公報
【発明の開示】
【発明が解決しようとする課題】
【０００８】
ところで、特許文献２では、折り畳みコンテナをスライドさせて段積みさせるために、側板２の上端部にレール突部３を突設し、底板１の下面部に中央底部５と脚部１６との間においてレール溝７を形成し、上段の折り畳みコンテナのレール溝７を下段の折り畳みコンテナのレール突部３に嵌め込むことにより、スライドを可能にしている。
【０００９】
ところが、幅狭なレール溝７に小さなレール突部３を嵌め込む作業は作業性が悪い上に、スライド途中にレール突部３がレール溝７から外れる虞があった。
【００１０】
そのため、作業性とスライド性を向上させるためレール突部３を幅広にしたり、高くしたりすることも考えられるが、側板２の上端部の幅自体が薄いため、レール突部３をあまりに幅広にしすぎると脚部１６の設置面積が減少、言い換えれば脚部１６が薄くなってし
まい、かえってスライド性の低下を招く上に、脚部１６の強度も落とす結果になってしまう。
【００１１】
また、レール突部３を高くすれば、レール突部３が破損しやすくなる。
【００１２】
本発明は、このような従来の問題点に鑑み、折り畳みコンテナの強度を向上させることができるとともに、折り畳みコンテナを段積みする場合のスライド性も良好な折り畳みコンテナを提供することを目的としている。
【課題を解決するための手段】
【００１３】
上記目的を達成するための本発明は、
略矩形状の開口部８０を備えたフレーム２２と略矩形状の底板２４との間に配置され、ヒンジ１５を介して内方に折り畳み自在な上側板部２６と下側板部２８とからなる側板３０を備え、上端を前記フレーム２２に揺動自在に支承した煽り板で端部を閉塞するようにした折り畳みコンテナ２０において、
前記フレーム２２の上面四隅部に２側辺に跨る突出部５０を形成し、この突出部５０と対応する前記底板２４の下面四隅部に前記突出部５０と略相補的な形状の凹部６０を形成するとともに、
前記突出部５０は、両端部が下方に向うに従って末広がりとなるように裾部を広く形成し、この裾部に斜面またはＲからなる案内面５２を形成し、
さらに、前記底板２４における長辺２７側の側壁部には、中央部側から端部に向って緩やかに傾斜するスロープＳを形成し、
さらに、前記底板２４における短辺２５の略全域に、斜面またはＲからなる案内面７０を設けたことを特徴としている。
【００１４】
このような構成の本発明によれば、フレーム２２上面には、脆弱部となりうる凹部が形成されていないので、強度が低下することはない。
【００１５】
また、底板２４の両端部にスロープＳが形成されているため、このスロープをフレーム２２上に合致させることにより、上下にスライドスタックさせる場合に、底板２４の底面下部がフレーム２２内に深く嵌り合うので、上位の折り畳みコンテナのスライドが可能になる。
【００１６】
ここで、本発明では、前記スロープＳの端部に、斜面またはＲからなる案内面６２を設けることが好ましい。
【００１７】
このような位置に案内面６２を設ければ、スライドスタック性が一層容易になる。
【００１８】
さらに、本発明では、前記フレーム２２の開口部８０に臨む内側面上部に、斜面またはＲからなる案内面７６を設けたことが好ましい。
【００１９】
このような位置に案内面７６を設ければ、スライドしてくる底板２４との当接部の抵抗が小さくなるので、底板２４が嵌り易くなる。
【発明の効果】
【００２０】
本発明に係る折り畳みコンテナよれば、荷重が最も作用し易いフレーム上面に突出部が形成されているので、強度を向上させることができる。また、底板の両端部にスロープが形成されているため、このスロープをフレーム上に合致させることにより、底板の底面下部がフレーム内に深く嵌り合い、上下の折り畳みコンテナの嵌合代が確保されるので、上位の折り畳みコンテナのスライドを容易に行うことができる。
【００２１】
さらに、フレーム上の突出部の両端部に、斜面またはＲからなる案内面が形成されていれば、突出部を底板が乗り乗り越えるときに緩やかに乗り越えることができるので、スライドスタック性が向上される。
【００２２】
また、フレームの内側面上部に斜面またはＲからなる案内面を設けておく一方で、底板の短辺の外周部に、斜面またはＲを設けておけば、これらが衝突した場合にもスライドに支承を来たすことはない。
【発明を実施するための最良の形態】
【００２３】
以下、図面を参照しながら、本発明の一実施例について説明する。
【００２４】
図１は本発明の一実施例による折り畳みコンテナ２０を長辺側から見たときの正面図で、図８で示せば、Ｄ方向から見たときの図である。図２は、図１に示したフレーム２２の斜視図である。図３は、図１に示した底板２４を裏面側から見たときの部分斜視図である。
【００２５】
本実施例による折り畳みコンテナ２０は、矩形枠状の開口部８０を備えたフレーム２２と、矩形平板状の底板２４との間に、２つ折りが可能な側板３０が揺動自在に支持されている。
【００２６】
すなわち、側板３０は、図８に示した側板８に相当するもので、両端部に配置されたピンからなるヒンジ１５と、その間に所定間隔置きに配設された係合部１５ａにより、内方に折り畳み自在な上側板部２６と下側板部２８とから構成されている。
【００２７】
そして、上側板部２６の上端はフレーム２２に、下側板部２８は、底板２４に揺動自在にそれぞれ支承されている。
【００２８】
このように、一対の上側板部２６と下側板部２８とから構成される各側板３０は、折り畳みコンテナ２０の長側部を閉塞するためのものであり、略同じ形状を有する矩形平板状の上側板部２６の上端は前記フレーム２２の長側側に、下側板部２８の下端は前記底板２４の長辺側の周縁部にそれぞれ回転自在に連結されている。また、両者２６，２８は、その接合部の両側部に設けられたヒンジ１５，１５を介して内方に折り畳み自在に連結されている。
【００２９】
一方、図１の方向からは図示されない煽り板（図８における煽り板１０に相当）は、折り畳みコンテナ２０の短側部を閉塞するためのものであり、矩形平板状に形成され、上端を前記フレーム２２の短辺側に、ピン７８を介して内方に揺動自在に支承されている。
【００３０】
これにより、本実施例の折り畳みコンテナ２０は、図８に示した折り畳みコンテナの場合と同様に、図示しない煽り板の下端部を上方に跳ね上げるとともに、各側板３０をその上側板部２６と下側板部２８とを互いに重合させて内側に折り込むことにより、折り畳みコンテナ２０を平板状に折り畳み、その上側板部２６と下側板部２８とが互いに同一平面となるよう伸展させることにより、箱状に組立てて折り畳みコンテナ２０として使用することができる。
【００３１】
さらに、本実施例による折り畳みコンテナ２０では、内方に折り畳み自在な上側板部２６に、所定間隔離間して水平方向のリブ３８ａ，３９ａが形成され、下側板部２８に水平方向のリブ３８ｂ、３９ｂがそれぞれ形成されている。なお、ヒンジ１５を設けた中心Ｐからの距離Ａ１，Ａ２および距離Ｂ１，Ｂ２は、Ａ１≠Ａ２、Ｂ１≠Ｂ２に形成されてい
る。すなわち、これらのリブ３８ａ，３８ｂ，３９ａ，３９ｂは互いに衝突しないように、中心線Ｐに対して非対称の位置に形成されている。
【００３２】
さらに、本実施例の折り畳みコンテナ２０では、側板３０の水平方向のリブ３９ａ，３８ａ、３８ｂ、３９ｂを連結するように、同一直線状に縦方向のリブ４４が形成されている。これらのリブ４４は、上側板部２６と下側板部２８とに形成されているが、同一直線状に形成されている。さらに、リブ４４の高さは、水平方向のリブ３８ａ，３９ａ、３８ｂ、３９ｂなどの高さに比べて低く形成されている。
【００３３】
よって、折り畳みコンテナ２０では、図４に示したように、上側板部２６、下側板部２８を、ヒンジ１５を支点として２つに折り曲げると、水平方向のリブ３８ａ，３８ｂ，３９ａ，３９ｂは、互いに接触しないように配置される。
【００３４】
さらに、本実施例の折り畳みコンテナ２０では、図２に示したようにフレーム２２の上面四隅部に、隣接する２側辺に跨って突出部５０が形成されている。この突出部５０の両端部は、下方に向うにしたがって末広がりとなるように裾部が広く形成され、この裾部に案内面５２が形成されている。また、フレーム２２の開口部８０に臨む内側面上部に、それぞれ斜面またはＲからなる案内面７６が形成されている。
【００３５】
一方、図１および図３に示したように、前記突出部５０に対応する底板２４の下面には、突出部５０と略相補的形状の凹部６０がそれぞれ形成されている。換言すれば、これらの凹部６０を形成するために、底板２４の短辺２５には、所定間隔離間して凸部８２，８２が形成されている。
【００３６】
また、底板２４の裏面中央部には、格子状のリブが形成された中央底部９０が突出形成されている。この中央底部９０の外側に配置された凸部８２の両端部には、それぞれ傾斜した案内面７３、７５が形成されている。これら傾斜した案内面７３，７５のうち、外側に位置する案内面７３は、上記突出部５０の一方の傾斜した案内面５２に対応している。また、底板２４の長辺２７の所定位置にも、傾斜した案内面６２が形成されている。この案内面６２は、上記突出部５０の他方の案内面５２に対応している。
【００３７】
このように、底板２４の四隅部に形成されたＬ字状の凹部６０の両側に、案内面７３，６２がそれぞれ形成されることにより、底板２４の凹部６０とフレーム２２の突出部５０との形状が、略相補的な形状にされている。
【００３８】
さらに、本実施例では、底板２４の短辺２５に所定間隔離間して凸部８２が形成されることにより、短辺２５の凸部８２間に凹所６４が形成されている。なお、このような凹所６４内に指を差し込むことにより、図１の状態の折り畳みコンテナ２０を持上げるときの操作性が良好になる。
【００３９】
また、図３に示したように、底板２４における短辺２５の外周部全域に、斜面またはＲからなる案内面７０が形成されている。この案内面７０は、凹所６４内ならびに凸部８２の角部にも形成され、高さの異なる位置に連続して形成されている。
【００４０】
次に、底板２４の長辺２７側の構造についてさらに具体的に説明する。
【００４１】
図１および図３に示したように、底板２４の長辺２７の略中央部には、凹所６５が形成されている。
【００４２】
また、この凹所６５と四隅部の凹部６０との間の隔壁体７７の端面には、長さＱの範囲
に、全体として緩やかに傾斜するスロープＳが形成されている。すなわち、底板２４の長辺２７側では、スロープＳから案内面６２を経て、緩やかに凹部６０内に連続している。
【００４３】
本実施例の折り畳みコンテナ２０は上記のように構成されているが、以下に、その作用について説明する。
【００４４】
図５および図６は本実施例による折り畳みコンテナ２０を２つ上下に配置してスライドスタックする場合の作用を示す側面図である。
【００４５】
先ず、図５に示したように、上位の折り畳みコンテナ２０の底板２４を下位の折り畳みコンテナ２０のフレーム２２上に配置し、その後、矢印Ｙ方向に上位の折り畳みコンテナ２０をスライドさせる。この場合に、上位の折り畳みコンテナ２０は若干傾斜した姿勢でスライドされる。
【００４６】
図６に示したように、上位の底板２４の長辺２７に形成されたスロープＳが下位のフレーム２２上に合致され、矢印Ｙ方向にスライドされるとき、上位の底板２４の凸部８２などの下方部分は、下位の折り畳みコンテナ２０のフレーム２２内に比較的大きく入り込む。したがって、２つの折り畳みコンテナ２０間に、十分な嵌合代が確保されることから、上位の折り畳みコンテナ２０のスライドが容易になり、途中で嵌合が外れてしまうこともない。
【００４７】
そして、Ｙ方向のスライドが終了に近づくと、上位の底板２４の短辺２５に形成された高さ方向略中間位置の案内面７０が、真っ先に下位のフレーム２２の突出部５０に接触する。このとき、フレーム２２の突出部５０の端部にも、傾斜した案内面５２が形成されているため、案内面７０は、下位の突出部５０の案内面５２を緩やかに乗り上げることができる。
【００４８】
また、上位の案内面７０が下位の案内面５２を乗り上げた状態でさらに矢印Ｙ方向にスライドされると、今度は、底板２４の長辺２７に形成された案内面６２が、フレーム２２の案内面５２に差し掛かる。この場合にも案内面６２の傾斜により、案内面５２の乗り越えが容易になる。したがって、上下の折り畳みコンテナ２０，２０がスムースに重ね合わされる。
【００４９】
なお、上記した図５および図６での説明は、折り畳みコンテナ２０の長辺２７側から見たときのスライドの様子について説明したが、折り畳みコンテナ２０の短辺側、すなわち底板２４の短辺２５では、以下のようになる。
【００５０】
すなわち、図７（Ａ）は、折り畳みコンテナ２０のフレーム２２の上面の一部を示したもので、図７（Ｂ）は、２つの折り畳みコンテナ２０、２０を、上下に配置してスライドさせる場合の、図７（Ａ）におけるＦ−Ｆ線で見たときの断面図である。
【００５１】
図７（Ｂ）に示したように、底板２４の短辺２５に形成された凸部８２がスライドの終了に近づいた場合に、この凸部８２がフレーム２２の内側面上部に当接するが、その場合に、フレーム２２の開口部８０に臨む内側面上部に、斜面またはＲからなる案内面７６が形成され、この案内面７６に底板２４の凸部８２の案内面７０‘が当接するので、スライドに支承を来たすことはない。したがって、折り畳みコンテナ２０の短辺側においても緩やかなスライドスタックが実現できる。
【００５２】
以上、説明したように、本実施例の折り畳みコンテナ２０では、最も荷重のかかり易いフレーム２２の四隅部に、突出部５０が設けられているので、全体の強度を向上させるこ
とができる。また、上下に段積みさせる場合にも、底板２４の長辺２７にスロープＳが形成されているので、下位の折り畳みコンテナ２０に上位の折り畳みコンテナ２０を重ねてスライドさせる場合に、スロープＳの下方に大きな嵌合代を確保することができるので、スライドが容易になる。また、突出部５０を上位の底板２４が乗り越えるときに、両者の案内面５２，７０などにより、緩やかに乗り越えることができるので、上段の折り畳みコンテナ２０が途中で落下してしまうこともない。したがって、スムースなスライドスタックが実現できる。
【００５３】
以上、本発明の一実施例について説明したが、本発明は上記実施例に何ら限定されない。
【００５４】
例えば、上記実施例では、側板２６などは全てベタ板から形成されているが、本発明は、これに限定されず、底板２４、側板２６、ならびに煽り板などを多数の孔が形成された網目形状の板体により形成することができる。
【００５５】
このように全体が網目形状に形成されていてば、排水性、通風性が良好であるとともに、洗浄性も良好で、また、ゴミが溜まりやすい物品を保管した場合であっても、そのゴミを速やかに外部に排出することができる。
【００５６】
また、上記実施例においては特に言及しなかったが、図１に示したように、２つに折り畳まれる側板３０において、フレーム２２のピン７８を支点として揺動する煽り板の下端部の回動軌跡となるラインＴ−Ｔには、長孔３２ａなどを設置しないことが好ましい。仮に、この回動軌跡となるラインＴ−Ｔ上に、突起物が形成されていると、折り畳み具合によっては、途中で障害物となる虞があるため、この範囲には、突起物となり得る物を設けないことが好ましい。
【図面の簡単な説明】
【００５７】
【図１】図１は本発明の一実施例による折り畳みコンテナを長手方向から見たときの正面図である。
【図２】図２は図１に示した折り畳みコンテナのフレームの斜視図である。
【図３】図３は図１に示した折り畳みコンテナの底板を裏面側から見たときの部分斜視図である。
【図４】図４は図１に示した側板を折り畳んだときの断面図である。
【図５】図５は本実施例の作用を示すもので、２つの折り畳みコンテナを上下にスライドスタックするときの側面図である。
【図６】図６は、図５に示した状態からさらにスライドが進んだときの様子を示した側面図である。
【図７】図７（Ａ）は、図１に示したフレームの突出部を設けた隅部分の概略平面図であり、図７（Ｂ）は、２つの折り畳みコンテナをスライドスタックするときの図７（Ａ）のＦ−Ｆ線での概略断面図である。
【図８】図８は実公平４−１５６３３号公報に開示された従来の折り畳みコンテナの斜視図である。
【図９】図９は特開２００１−３３５０２９号公報に開示された従来の折り畳みコンテナの斜視図である。
【図１０】図１０は、図９に示した従来の折り畳みコンテナの下面側の斜視図である。
【符号の説明】
【００５８】
１５  ヒンジ
２０  折り畳みコンテナ
２２  フレーム
２４  底板
２５  短辺
２７  長辺
２６  上側板部
２８  下側板部
３０  側板
５０  突出部
５２  案内面
６０  凹部
６２  案内面
６４  凹所
７０  案内面
７３、７５  案内面
７６  案内面
７７  隔壁体
８２  凸部
９０  中央底部
Ｑ    長さ
Ｓ    スロープ
【図１】
2005186941.tif 000003
【図２】
2005186941.tif 000004
【図３】
2005186941.tif 000005
【図４】
2005186941.tif 000006
【図５】
2005186941.tif 000007
【図６】
2005186941.tif 000008
【図７】
2005186941.tif 000009
【図８】
2005186941.tif 000010
【図９】
2005186941.tif 000011
【図１０】
2005186941.tif 000012